(57)【要約】【課題】本発明は、浴室の洗い場近傍の汚れを効果的に洗浄し、ヌメリやピンク汚れなどの微生物汚れをも効果的に抑制することのできる浴室洗浄装置及び浴室ユニットを提供する。【解決手段】浴室の洗い場床面の略全体に洗浄水を吐水して洗い場床面上に付着した石鹸カスや皮脂等の有機物汚れを除去する有機物除去工程と、浴室の洗い場床面に殺菌水を吐水して洗い場床面上に殺菌水を滞留させるための制菌工程と、を実行する制御装置を備え、前記制御装置は、前記有機物除去工程を実行した後、前記有機物除去工程において吐水された洗浄水の大半が前記洗い場床面上に形成された排水口に排出されるように予め設定された所定時間の経過後に、前記制菌工程を実行するようにしたことを特徴とする浴室洗浄装置が提供される。【選択図】図１
2008168231.tif 000002
【特許請求の範囲】
【請求項１】
浴室の洗い場床面の略全体に洗浄水を吐水して洗い場床面上に付着した石鹸カスや皮脂等の有機物汚れを除去する有機物除去工程と、
浴室の洗い場床面に殺菌水を吐水して洗い場床面上に殺菌水を滞留させるための制菌工程と、を実行する制御装置を備え、
前記制御装置は、前記有機物除去工程を実行した後、前記有機物除去工程において吐水された洗浄水の大半が前記洗い場床面上に形成された排水口に排出されるように予め設定された所定時間の経過後に、前記制菌工程を実行するようにしたことを特徴とする浴室洗浄装置。
【請求項２】
前記有機物除去工程において吐水される前記洗浄水の総吐水量は、前記制菌工程おいて吐水される前記殺菌水の総吐水量よりも多いこと、を特徴とする請求項１記載の浴室洗浄装置。
【請求項３】
前記有機物除去工程を実行するのに要する時間は、前記制菌工程を実行するのに要する時間よりも長いことを特徴とする請求項１または２記載の浴室洗浄装置。
【請求項４】
前記有機物除去工程において、吐水された前記洗浄水の水滴が直接、前記洗い場床面の略全体にぶつかるように吐水されること、を特徴とする請求項１乃至３のいずれか１つに記載の浴室洗浄装置。
【請求項５】
前記有機物除去工程において吐水される前記洗浄水の吐水部は、鏡が取り付けられている洗い場壁面から突出し、且つ前記洗い場床面の直上であり、シャワーホースが接続される水栓本体の下方に配設されたカウンターの裏面に取り付けられていること、を特徴とする請求項１乃至４のいずれか１つに記載の浴室洗浄装置。
【請求項６】
前記有機物除去工程において吐水される前記洗浄水の吐水部は、洗浄対象までの距離に応じた複数の放射状に吐水可能なノズル孔を有し、前記洗い場床面に対する前記ノズル孔が受け持つ洗浄対象が前記吐水部に近いほど、その洗浄範囲の面積が大きくなること、を特徴とする請求項１乃至３のいずれか１つに記載の浴室洗浄装置。
【請求項７】
前記有機物除去工程において吐水される前記洗浄水の吐水部は、洗浄対象までの距離に応じた複数の放射状に吐水可能なノズル孔を有し、前記洗い場床面に対する前記ノズル孔が受け持つ洗浄対象が前記吐水部に近いほど、吐水の噴射角度が大きくなること、を特徴とする請求項１乃至３のいずれか１つに記載の浴室洗浄装置。
【請求項８】
前記有機物除去工程において前記洗浄水の吐水は、断続的に行われること、を特徴とする請求項１乃至７のいずれか１つに記載の浴室洗浄装置。
【請求項９】
前記有機物除去工程において前記洗浄水の吐水は、前記排水口に向かう流れが形成されるように行われるとともに、前記制菌工程において前記殺菌洗浄水の吐水は、前記排水口とは逆向きに向かう流れが形成されるように行われること、を特徴とする請求項１乃至８のいずれか１つに記載の浴室洗浄装置。
【請求項１０】
前記有機物除去工程において吐水される前記洗浄水の単位時間あたりの吐水量は、前記制菌工程で吐水される前記殺菌水の単位時間あたりの吐水量よりも多いこと、を特徴とする請求項１乃至９のいずれか１つに記載の浴室洗浄装置。
【請求項１１】
前記制菌工程において前記殺菌水はミスト状に吐水されること、を特徴とする請求項１乃至１０のいずれか１つに記載の浴室洗浄装置。
【請求項１２】
前記有機物除去工程において吐水される前記洗浄水の前記吐水部は、前記洗い場床面に向けて吐水方向の異なる複数のノズル孔を有し、前記ノズル孔の位置が鉛直線を軸に回転移動可能となっていること、を特徴とする請求項１乃至１１のいずれか１つに記載の浴室洗浄装置。
【請求項１３】
前記有機物除去工程において吐水される前記洗浄水の前記吐水部は、開孔形状が略楕円のノズル孔を備え、前記ノズル孔の位置は回転移動可能とされており、前記略楕円のノズル孔は、前記回転の接線方向と略垂直に交差する垂線の方向に長径が存在するような向きに設けられること、を特徴とする請求項１乃至１２のいずれか１つに記載の浴室洗浄装置。
【請求項１４】
前記有機物除去工程において吐水される前記洗浄水の前記吐水部は、吐水の反力により回転可能とされており、前記吐水部の配管には定圧手段が設けられていること、を特徴とする請求項１乃至１３のいずれか１つに記載の浴室洗浄装置。
【請求項１５】
洗い場と、
浴槽と、
前記洗い場床面の直上に配設され、シャワーホースが接続された水栓本体より下方に配置されたカウンターと、
請求項１乃至１４のいいずれか１つに記載の浴室洗浄装置と、
を備えたことを特徴とする浴室ユニット。
【発明の詳細な説明】
【技術分野】
【０００１】
本発明は、浴室の洗い場近傍の汚れを洗浄する浴室洗浄装置及びこれを備えた浴室ユニットに関する。
【背景技術】
【０００２】
浴室内の汚れには、人体の洗浄に使用された石鹸やシャンプーなどのかす、人体から発生した垢（タンパク質系、炭水化物系、油脂系、塩類等）などがあるが、このような汚れを除去するためには大変な労力がかかる。
【０００３】
そのため、これらの汚れを除去しつつ、浴槽や洗い場におけるヌメリの発生を抑制するための洗浄装置が提案されている（特許文献１を参照）。しかしながら、特許文献１に開示されている技術では、洗浄ノズルが浴室の高所に取り付けられている。そのため、浴室の下方に位置し、汚れの発生が多い洗い場近傍では、洗浄水の水勢が弱まり洗浄が不十分となるおそれがあった。特に、浴室の洗い場に設けられるカウンターの下方は死角となり、洗浄をしたり、オゾンなどの薬剤を含んだ洗剤を噴出させることができなかった。
【０００４】
また、オゾンなどの薬剤を洗剤と混合しているためその効果が減ぜられるおそれがある。そして、薬剤を含んだ洗剤は、最終的には水で洗い流されるため殺菌効果の持続が短くなるおそれがあり、浴槽や洗い場の表面を構成する部材に抗菌剤を添加しておく必要があった。
【０００５】
一方、浴室の下方にノズルを設け、浴室の洗い場に殺菌機能水を散布する技術が提案されている（特許文献２を参照）。しかしながら、特許文献２に開示されている技術では、洗い場に残留する垢や石鹸カス等の有機物と殺菌機能水とが化学的に結合して、殺菌機能水の効力を低下させるおそれがあった。また、カウンターの下方を含めて浴室の洗い場近傍全体を洗浄し、殺菌機能水を散布することも困難であった。
【特許文献１】特開平１１−１７８７８１号公報
【特許文献２】特開平９−２２０２７３号公報
【発明の開示】
【発明が解決しようとする課題】
【０００６】
本発明は、浴室の洗い場近傍の汚れを効果的に洗浄し、ヌメリやピンク汚れなどの微生物汚れをも効果的に抑制することのできる浴室洗浄装置及び浴室ユニットを提供する。
【課題を解決するための手段】
【０００７】
本発明の一態様によれば、浴室の洗い場床面の略全体に洗浄水を吐水して洗い場床面上に付着した石鹸カスや皮脂等の有機物汚れを除去する有機物除去工程と、浴室の洗い場床面に殺菌水を吐水して洗い場床面上に殺菌水を滞留させるための制菌工程と、を実行する制御装置を備え、前記制御装置は、前記有機物除去工程を実行した後、前記有機物除去工程において吐水された洗浄水の大半が前記洗い場床面上に形成された排水口に排出されるように予め設定された所定時間の経過後に、前記制菌工程を実行するようにしたことを特徴とする浴室洗浄装置が提供される。
【０００８】
また、本発明の他の一態様によれば、洗い場と、浴槽と、前記洗い場床面の直上に配設され、シャワーホースが接続された水栓本体より下方に配置されたカウンターと、上記のいずれかの浴室洗浄装置と、を備えたことを特徴とする浴室ユニットが提供される。
【発明の効果】
【０００９】
本発明によれば、浴室の洗い場近傍の汚れを効果的に洗浄し、ヌメリやピンク汚れなどの微生物汚れをも効果的に抑制することのできる浴室洗浄装置及び浴室ユニットが提供される。
【発明を実施するための最良の形態】
【００１０】
以下、図面を参照しつつ、本発明の実施の形態について説明をする。  
図１は、本発明の第１の実施の形態に係る浴室洗浄装置を備えた浴室ユニットを説明するための模式図である。    
図２は、吐水部分の配管系統図である。
【００１１】
図１に示すように、浴室ユニットの浴室３には、浴室洗浄装置の吐水部１、浴槽４、洗い場床面５、カウンター６、鏡７などが備えられている。また、この他にも図示しない給水栓、シャワーホース、給湯制御パネルなどが適宜備えられている。  
カウンター６は、洗い場床面５の直上であって、浴槽４のフランジ面よりも上方に配設される図示しないシャワーホースが接続された水栓本体よりは下方に配置される。尚、一般的に、浴槽４のフランジ面よりも上方には、シャンプーなどの小物を載置するための小物置き台があるが、本明細書におけるカウンター６はこれとは異なる。また、図１に示すように、カウンター６は小物置台よりも大きく、シャンプーなどの小物のみならず、洗面器やその他の人体洗浄に必要なものをおける程度のスペースを有する。
吐水部１は、カウンター６の下方に設けられている。図２に示すように、吐水部１には、浴室３外に設けられた殺菌水生成手段１２と洗浄水生成手段１３とが並列に接続されている。また、殺菌水生成手段１２には開閉弁８が、洗浄水生成手段１３には開閉弁１６がそれぞれ接続されており、開閉弁８と開閉弁１６とは、逆止弁１７に接続されている。そして、逆止弁１７は水道管９と接続されている。
【００１２】
ここで、カウンター６の下方とは、カウンター６の裏面から洗い場床面５の上面までの間で、かつ、カウンター６の突出端（前面端）からカウンター６の支持端（浴室壁面）までの間に形成される空間領域をいう。
【００１３】
殺菌水生成手段１２、開閉弁８、洗浄水生成手段１３、開閉弁１６は、浴室３外に設けられた制御部２と電気的に接続され、制御部２からの信号で後述する吐水の制御、殺菌水の生成、洗浄水の生成などができるようになっている。  
また、逆止弁１７は、水道管９から水が殺菌水生成手段１２や洗浄水生成手段１３へは流入できるが、生成された殺菌水や洗浄水が水道管９側へ混入するのを防止できるような向きに接続されている。
【００１４】
尚、逆止弁１７が図示しない給湯手段と接続され、温水が吐水できるようにしてもよい。そのようにすれば、有機物などの分解、剥ぎ落としが促進されるので、洗浄効果をより高めることができる。尚、本願明細書において「水」という時には、冷水のみならず温水も含むものとする。
【００１５】
洗浄水生成手段１３で生成される洗浄水としては、例えば、オゾンガスを水に溶解させたオゾン水、水の電気分解により得られる酸性水やアルカリ性水などを例示することができる。  
このうち、オゾン水は、洗い場などに付着した垢などの有機物を効率よく分解除去できるのみならず、殺菌をすることにも効果がある。
【００１６】
図３は、洗浄水生成手段１３として用いることができるオゾン水生成手段３１を例示するための模式断面図である。    
オゾン水生成手段３１に備えられている気体混入混合室３２には、気泡分散機構３３が設けられており、液体管路３４から供給される水に対して、気泡分散機構３３により気体の混入、微細化、分散、混合が同時に行われる。気泡分散機構３３には気体室３５が設けられており、気体室３５には気体導入管路３６からオゾンが供給される。液体管路３４は、開閉弁１６、逆止弁１７を介して水道管９と接続されている。また、気体導入管路３６には図示しないオゾン供給手段が接続されている。尚、本実施の形態においては、制御部２により図示しない開閉弁などを制御して、オゾン水生成手段３１へのオゾンの供給が制御されることになる。
【００１７】
また、酸性水は、洗い場などに付着した石鹸カスなどを効率よく剥ぎ落とすのに効果があり、アルカリ性水は、洗い場などに付着した皮脂汚れなどを効率よく剥ぎ落とすのに効果がある。
【００１８】
図４は、洗浄水生成手段１３として用いることができる創水手段４１を例示するための模式断面図である。    
創水手段４１は、水を電気分解することにより、酸性水とアルカリ性水とを生成する。創水手段４１から導出したアルカリ性水導出管４２と酸性水導出管４３は、三方切換弁４４に接続されており、この三方切換弁４４の他の一端が、吐水部１と接続されている。すなわち、三方切換弁４４を切り替えることにより酸性水またはアルカリ性水のいずれかを吐水部１から吐出可能とされている。
【００１９】
創水手段４１に備えられているケーシング４５は、その内部を隔膜４６によりアルカリ性水生成室４７と酸性水生成室４８とに区画されており、各生成室４７、４８ には、それぞれステンレス鋼やカーボン等からなる電極（陰極）４９と、ステンレス，白金，酸化チタンなどからなる電極（陽極）５１とが配設されている。また、酸性水生成室４８には酸性水導出管４３が連通するように接続されており、アルカリ性水生成室４７にはアルカリ性水導出管４２が連通するように接続されている。導入管５５は、開閉弁１６、逆止弁１７を介して水道管９と接続されている。
【００２０】
電極４９、５１ から導出した電線５２、５３の導出端は、電源５４と接続されており、電源５４から電極４９、５１ 間に電圧が印加できるようになっている。
【００２１】
そして、この電圧印加により、水が電気分解され、アルカリ性水生成室４７のＰＨ値が高くなり、アルカリ性水が生成される。一方、酸性水生成室４８内のＰＨ値は低くなり、酸性水が生成されることになる。
【００２２】
尚、これらの方法による洗浄水の生成に限定されるわけではなく、例えば、洗浄水（例えば、濃縮液）や薬剤などを予め生成し、これを適宜ポンプなどで投入するようなものであってもよい。本実施の形態においては、オゾン水生成手段３１や創水手段４１では制御部２により、三方切換弁４４の切替、電源５４のＯＮ／ＯＦＦや出力調整などの制御が行われる。また、予め生成された洗浄水（例えば、濃縮液）や薬剤などを投入する場合においては、制御部２によりポンプなどの投入手段の制御が行われる。
【００２３】
殺菌水生成手段１２で生成される殺菌水としては、殺菌性物質又はイオンを含有する水を例示することができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液などを挙げることができる。
【００２４】
このような、殺菌水は、例えば、電気分解法を用いて生成することができる。具体的には、銀イオンを含む殺菌水を生成する場合においては、溶出管の内部に銀からなる一対の電極を対峙して設け、これに電源から所定の電流を流すようなものを例示することができる。また、遊離塩素含有水は、塩素イオンを含む水（例えば、水道水）を塩素発生用電極を用いて電気分解することにより生成することができる。尚、電気分解法による殺菌水の生成に限定されるわけではなく、例えば、殺菌水（例えば、濃縮液）や薬剤を予め生成し、これを適宜ポンプなどで投入するようなものであってもよい。電気分解法を用いる場合においては、制御部２により、電源のＯＮ／ＯＦＦや出力調整などの制御が行われ、予め生成された殺菌水などを投入する場合においては、ポンプなどの投入手段の制御が行われる。
【００２５】
また、洗浄水生成手段１３や殺菌水生成手段１２を作用させず、水道水などの水のみを吐水させることもできる。この場合、後述するように、ノズル孔からの水滴を直接、被洗浄面全体に当てるようにし、水勢を最大限に大きくすれば、水道水などの水のみを吐水させても洗浄を行うことができる。そのため、本明細書において、「洗浄水」という時には、オゾン水、酸性水、アルカリ性水などのみならず水道水などの「水」をも含むものとする。
【００２６】
ここで、特許文献２に開示されているような浴室洗浄装置は、単に洗い場などに向けて殺菌水を吐水するだけのものであった。しかし、洗い場などには石鹸かすや皮脂、垢などの有機物汚れが残っており、その状態で殺菌水を吐水しても、有機物と殺菌成分とが化学的結合をおこしその効力が減ぜられるおそれがあった。
【００２７】
本発明者は検討の結果、有機物汚れを効果的に除去できれば、その後吐水する殺菌水の効果をも充分に発揮させることができ、ヌメリやピンク汚れなどの微生物汚れを効果的に抑制することができるとの知見を得た。  
本発明者の得た知見によれば、洗い場のようなフラットな面上に付着した有機物汚れを除去するためには、ノズル孔からの水滴を直接、被洗浄面全体に当てるようにすることと、水勢を最大限に大きくすることの２点を満足することが重要である。これは、付着した有機物汚れは、単に水が触れれば除去できるものではなく、除去のためには水が有機物汚れにぶつかる際の打力が重要となるからである。
【００２８】
ここで、特許文献１に開示されている技術では、吐水部が浴室の高所に取り付けられている。そのため、浴室の下方に位置し、汚れの発生も多い洗い場近傍では、洗浄水の水勢が弱まり洗浄が不十分となるおそれがある。しかし、洗い場近傍（図１に示すものではカウンター６の下方）に吐水部１を設けるものとすれば、天井に比べて床面までの着水距離が短いので、水勢を保ったまま、直接水滴を有機汚れにあてることができる。その結果、洗浄水をあてることにより汚れを剥がれ落とすという物理的作用を充分に享受することが可能となる。
【００２９】
また、天井からの吐水では、カウンター６の下方は死角となり、洗浄水や殺菌水を吐水させることができなかったが、洗い場近傍（図１に示すものではカウンター６の下方）に吐水部１を設けるものとすれば、カウンター６の下方への吐水も可能となる。
【００３０】
ここで、洗い場近傍においての床面までの着水距離を考慮すれば、カウンター６の下面より下方の浴室３の空間に吐水部１を設けるようにすればよい。例えば、吐水部１を浴槽４のエプロン部４ａに設けるようにすることもできる。ただし、洗い場床面５における入浴時の人体洗浄を考慮すれば、邪魔にならないカウンター６の下方に吐水部１を設けるようにすることが好ましい。
【００３１】
カウンター６の下方における吐水部１の取り付け高さは、適宜選択することができる。ここで、吐水部１からの吐水距離が短くてもよければ（浴室が狭ければ）、吐水部１の取り付け高さをある程度低くすることができる。しかし、その距離が長い場合（浴室が広い場合）は吐水部１の取り付け高さを高くした方が、吐水の確実な到達という観点からは好ましい。この場合、カウンター６の裏面に吐水部１を当接するようにして取り付けることもできる。その際、カウンター６の下方の空間を、例えば、入浴時の人体洗浄の際に足を入れるスペース、シャンプー・洗面器などを置いておくスペースなどに使用することもできる。尚、吐水部１の取り付け高さを調整できるようにしておき、設置される浴室に合わせた設定をすることもできる。
【００３２】
カウンター６の下方における吐水部１の奥行き寸法方向の取り付け位置も適宜選択することができる。ここで、カウンター６の突出端（前面端）から後退した位置に吐水部１を設け、突出端から出っ張らないようにすることが好ましい。そのようにすれば、入浴時の人体洗浄の際に人体と干渉することを抑制することができ、また、煩雑感がなくなるため見た目にも優れているからである。尚、吐水部１の取り付け位置を調整できるようにしておき、設置される浴室のカウンター６に合わせた設定をすることもできる。
【００３３】
また、カウンター６の上方には、通常、鏡７や図示しないシャワー・給水栓などが備えられている。このようなものに、水道水や温水が飛散しこれが乾くと白色の点状に水垢が残る。特に、光沢のある鏡７や図示しないシャワー・給水栓などに水垢がつくと目障りとなる。また、洗浄水や殺菌水が鏡７や金属製の図示しないシャワー・給水栓などに付着すると、例えば、銀を含む殺菌水では黒ずみが起こり、オゾンを含むものなどでは腐食が起こるおそれがある。本実施の形態に係る吐水部１は、カウンター６の下方に設けられているので、カウンター６により余計な水道水、温水、洗浄水、殺菌水の飛散が抑制され、水垢、黒ずみ、腐食の発生を抑制することができる。
【００３４】
吐水部１にはノズル孔１ａが設けられている。ここで、洗い場全体に向けて吐水可能なノズル孔１ａを１個だけ設けるようにすることもできるが、複数のノズル孔１ａを設けて、それぞれのノズル孔１ａ毎に適切な吐水をさせるようにすることもできる。例えば、吐水部１から遠い洗浄対象を受け持つノズル孔１ａの吐水圧力を高めて遠くでも水勢が落ちないようにしたり、すべてのノズル孔から同時に吐水をさせるのではなく、所定のノズル孔から順番に吐水をさせるようにすることもできる。この場合、所定のノズル孔から順番に吐水をさせるようにすれば、同時にすべてのノズル孔から吐水をさせる場合より、水圧を高く維持することができる。また、このような場合に、洗い場床面５の排水口から遠い洗浄対象を受け持つノズル孔１ａから先に吐水をさせるようにして、汚水を排水口に誘導しやすくすることもできる。
また、複数のノズル孔を設ける場合、吐出部１０から洗浄対象面までの距離により、それぞれのノズル孔の水勢、吐水量、受け持つ洗浄範囲を考慮するようにすることが好ましい。  
図５は、吐水部から洗浄対象までの距離と吐水の状態との関係を説明するための模式図である。図５（ａ）は、吐水の状態を洗い場の側方から見た場合の模式図、図５（ｂ）は、吐水の状態を洗い場上方から見た場合の模式図、図５（ｃ）は、吐水の噴射角度を説明するための模式図である。  
図５に示すように、近傍の洗浄対象Ｘでは吐水の距離が近いため水勢の減衰が小さい、また、汚れに対する吐水の衝突角度も大きくすることができる（汚れに対して略垂直方向から吐水が行われる）。そのため、吐水部の近傍の汚れは比較的除去がしやすい。
これに対して、遠方の洗浄対象Ｚでは吐水の距離が遠いため水勢の減衰が大きい、また、汚れに対する吐水の衝突角度も小さくなる（汚れに対して略水平方向から吐水が行われる）。そのため、吐水部の遠方の汚れほど除去が困難となる。
本発明者は検討の結果、近傍への吐水量より遠方への単位面積あたりの吐水量を増やせば、除去が困難な遠方の汚れをも除去できるとの知見を得た。また、この場合、近傍のノズル孔が受け持つ洗浄範囲の面積も広くすることができる。
そのため、吐水部からの距離、吐水量、各ノズル孔が受け持つ洗浄範囲の面積の広さなどを考慮の上、各ノズルの吐水量や水勢を配分するようにすることが好ましい。例えば、このような配分は、各ノズル孔の開口総面積により調整することができる。ノズル孔の開口総面積は、ノズル孔自体の面積、ノズル孔の数、ノズル孔自体の面積とノズル孔の数との組み合わせなどにより調整することができる。この際、各ノズルが受け持つ洗浄範囲を細分化すれば、前述の配分の条件範囲が狭まるため、調整が容易となる。
図５に例示するものは、各ノズルが受け持つ洗浄範囲を３分割した場合である。この場合、近傍の洗浄対象Ｘを受け持つノズル孔は単位面積あたりの吐水量を少なくし、洗浄範囲の面積を大きくしている。そのようにしても、吐水量が少なく洗浄範囲の面積が大きいことを、水勢が強いこと、吐水の衝突角度が大きいことで補うことができるので洗浄効果が低下することはない。
また、遠方の洗浄対象Ｚを受け持つノズル孔は単位面積あたりの吐水量を多くし、洗浄範囲の面積を小さくしている。この場合、水勢の弱さと吐水の衝突角度が小さいことを、吐水量を多くし、洗浄範囲の面積を小さくすることで補うことができるので洗浄効果が低下することはない。
また、近傍と遠方との間を受け持つノズルについては、吐水量と受け持つ洗浄範囲の面積を近傍用と遠方用のものの間としている。この部分は、水勢もある程度強く、吐水の衝突角度もある程度大きくすることができるので、遠方用より吐水量を減らし、洗浄範囲の面積をある程度広くしても洗浄効果が低下することはない。
すなわち、ノズル孔が受け持つ洗浄対象が吐水部に近いほど、その洗浄範囲の面積を大きくすることができる。
また、洗浄範囲の面積については、吐水の噴射角度を考慮することが好ましい。    
具体的には、図５（ｃ）に示すように、近傍の洗浄対象Ｘを受け持つノズル孔からの吐水の噴射角度θ１と、近傍と遠方との間の洗浄対象Ｙを受け持つノズル孔からの吐水の噴射角度θ２と、遠方の洗浄対象Ｚを受け持つノズル孔からの吐水の噴射角度θ３との関係を、θ１＞θ２＞θ３とすることが好ましい。もし、すべての噴射角度が等しいものとすれば、洗浄対象が遠方になるほど洗浄範囲の面積が大きくなるので、単位面積当たりの吐水量が少なくなり、汚れの除去を効果的に行うことができなくなるおそれがあるからである。
尚、図５に例示をした分割数や各ノズルの条件は、これに限定されるわけではなく適宜変更することができる。
【００３５】
図６〜図８は、ノズル孔の形態を説明するための模式図である。  
図６（ａ）に示すものは、遠方の被洗浄面を洗浄するためのノズル孔、図６（ｂ）に示すものは、近傍の被洗浄面を洗浄するためのノズル孔を例示するものである。このように、遠方用のノズル孔面積Ｓａより近傍用のノズル孔面積Ｓｂを大きくすれば、水勢が落ちがちの遠方用のノズル孔における水勢を高めることができる。
【００３６】
図７（ａ）に示すものは、大面積の洗浄を受け持つノズル孔、図７（ｂ）に示すものは、比較的小面積の洗浄を受け持つノズル孔を例示するものである。このように、大面積用のノズル孔面積Ｓｃとその管路面積Ｓｅより、小面積用のノズル孔面積Ｓｄとその管路面積Ｓｆとをそれぞれ小さくすれば、大面積用のノズル孔における吐水量を増やすことができる。
【００３７】
図８（ａ）に示すものは、コーン状の吐水を行うためのノズル孔、図８（ｂ）に示すものは、扇状の吐水を行うためのノズル孔を例示するものである。このように、吐水の形態を変えることで最適な吐水、洗浄を行うことができる。例えば、図８（ｂ）に示す扇状の吐水を行うノズルを回転移動などさせれば、より広い面積を効率よく洗浄することができる。尚、吐水の形態はこれらに限定されるわけではなく、ノズル孔の開口形状を変えることにより適宜選択することができる。
【００３８】
開閉弁８、１６としては、例えば、電磁弁を例示することができる。ただし、これに限定されるわけではなく、流量制御をするための絞り手段や圧力制御をするための圧力制御手段を併せ持つようなものであってもよい。また、電磁弁の開閉により吐水を断続的にしたり、吐水時間を変えたり、吐水圧の高低を切り替えて吐水圧を断続的にすることにより、洗浄効果を高めることもできる。
【００３９】
図９は、開閉弁８、１６の開閉タイミングを説明するための模式タイミングチャートである。
【００４０】
図９の上段の図は、開閉弁１６（洗浄水生成手段１３側の開閉弁）の開閉タイミングを表し、下段の図は、開閉弁８（殺菌水生成手段１２側の開閉弁）の開閉タイミングを表している。尚、横軸は時間を表し、「山」の部分で吐水がされるものとしている。
【００４１】
図９に示すように、時間Ｔ１だけ洗浄水が吐出されると、その後、時間Ｔ２の間は吐出が止められる。そして、その後、時間Ｔ３だけ殺菌水が吐出される。    
この際、時間Ｔ１の長さは、時間Ｔ３の長さの２倍〜４倍程度とされる。有機汚れの除去を確実に行うためである。また、洗浄水の吐水と殺菌水の吐水との間に時間Ｔ２を設けるのは、有機物汚れと洗浄水との反応時間及び汚水の排水時間を確保するためである。
【００４２】
この時間Ｔ２が短すぎると、汚水の排出前に殺菌水が吐出され、前述したように殺菌水の効果が減じられるおそれがある。そのため、時間Ｔ２は、殺菌効果の観点から重要な要素となる。
【００４３】
ここで、具体的にこれらの時間を例示するものとすれば、時間Ｔ１を２分〜４分程度、時間Ｔ２を３０秒から１０分程度、時間Ｔ３を１分程度とすることができる。ただし、これらの時間に限定されるわけではなく、汚れ状態や洗浄の頻度などに合わせて適宜変更することができる。また、時間Ｔ２に関しては、長い時間をとれば確実な汚水の排出をすることができる。ただし、あまり長時間にすると洗浄面が乾いてしまいかえって殺菌水の拡がりなどに問題が生じ、また、洗浄作業時間も長くなってしまう。そのため、前述の洗浄水の大半が洗い場床面５上に形成された排水口に排出されるまでの時間を考慮しつつ、洗浄面が乾く前に殺菌水の吐水ができるよう時間Ｔ２を選択することが好ましい。
【００４４】
図１０は、開閉弁８、１６の開閉タイミングを説明するための模式タイミングチャートである。
【００４５】
図１０の上段の図は、開閉弁１６（洗浄水生成手段１３側の開閉弁）の開閉タイミングを表し、下段の図は、開閉弁８（殺菌水生成手段１２側の開閉弁）の開閉タイミングを表している。尚、横軸は時間を表し、「山」の部分で吐水がされるものとしている。
【００４６】
図１０に示すように、時間Ｔ１だけ洗浄水が吐出されると、その後、時間Ｔ２の間は吐出が止められる。そして、その後、時間Ｔ３だけ殺菌水が吐出される。
【００４７】
図１０に示すものでは、時間Ｔ１の間に洗浄水の吐水を断続（図１０に示すものでは４回の吐水）して行うようにしている。このような断続的な吐水とすることで、有機汚れに衝撃を加え、洗浄効果を高めることができる。また、断続的な吐水とすることで、除去された汚れが適宜、洗い場床面５上に形成された排水口に排出されるため有機物除去工程後の残塵（洗い場床面５からは除去できたが排出されなかった汚れ）が少なくなる。尚、図に示した吐水回数に限定されるわけではなく、汚れ状態や洗浄の頻度などに合わせて適宜変更することができる。また、吐水圧力を断続的に変化させながら洗浄を行うようにすることもできる。
【００４８】
また、洗浄効果、殺菌効果を高めるために、殺菌水より洗浄水を多量に吐水させたり、殺菌水より洗浄水を長時間吐水させたり、殺菌水より洗浄水の流量を多くさせたりすることができるように開閉弁８、１６の制御をすることが好ましい。
【００４９】
また、洗浄水の吐水を所定の時間間隔をあけて、複数回行う（吐水と止水を繰り返し行う）ようにすることが好ましい。時間間隔をあけるようにすれば、止水している間に除去された汚れが排水口に導かれるからである。すなわち、常に吐水しつづけていると洗い場床面５からの排水が滞り水が溜まってしまい、除去した汚れが排出されないおそれがある。そのため、適度に止水して、除去した汚れが含まれた水を排水口から排水させる方が好ましいからである。
【００５０】
制御部２は、浴室外の例えば脱衣場に設けられた図示しない入力手段と電気的に接続されている。この入力手段に操作者が、洗浄の開始／終了、各吐水時間、吐水の断続回数、水・温水・洗浄水・殺菌水の切替、洗浄モードの切替などを入力することにより、制御部２による吐水の制御が行われる。ここで、洗浄モードには、予め定められた洗浄工程から最適なものを選択するようなものを例示することができる。予め定められた洗浄工程としては、例えば、洗浄の開始／終了、各吐水時間、吐水の断続回数、水・温水・洗浄水・殺菌水の切替などを適宜組み合わせた洗浄工程を例示することができる。そして、これらを予めプログラムして、洗浄モードとして制御部２の記憶手段に格納させておくようにすることができる。尚、入力手段はこれら全てを入力できるものである必要はなく、例えば、洗浄の開始／終了、各吐水時間の設定ができる程度のものであってもよい。
【００５１】
次に、吐水部１の作用について説明をする。  
例えば、入浴後に脱衣場において操作者が、図示しない入力手段に洗浄の開始、各吐水時間などを入力すると、その信号は制御部２に送られ、制御部２は殺菌水生成手段１２、開閉弁８、洗浄水生成手段１３、開閉弁１６などの制御を行う。例えば、浴室３の洗い場床面５の略全体に洗浄水を吐水して洗い場床面５上に付着した石鹸カスや皮脂等の有機物汚れを除去する有機物除去工程として、開閉弁１６である電磁弁により水道水の流路が開かれ、水道水が洗浄水生成手段１３に供給されて、洗浄水生成手段１３により水道水がオゾン水、酸性水、アルカリ性水などの洗浄水となってノズル孔１ａから吐水される。そして、設定された時間Ｔ１が過ぎると電磁弁により水道水の流路が閉じられ洗浄が終了する。尚、前述のように、単なる水を吐水させることもできるし、温水を使用することもできる。
【００５２】
次に、所定の時間Ｔ２の経過後、浴室３の洗い場床面５に殺菌水を吐水して洗い場床面５上に殺菌水を滞留させるための制菌工程として、開閉弁８である電磁弁により水道水の流路が開かれ、水道水が殺菌水生成手段１２に供給されて、殺菌水生成手段１２により水道水が銀イオン水などの殺菌水となってノズル孔１ａから吐水される。そして、設定された時間Ｔ３が過ぎると電磁弁により水道水の流路が閉じられ殺菌が終了する。
ここで、洗い場床面５上に洗浄水が多量に残っている状態（残水）で殺菌水を吐水しても、殺菌水は残水によって直ちに希釈されるとともに、残水と一緒に短時間で排水口に排出されてしまう。そのため、所定の時間Ｔ２は、有機物除去工程が実行された後、有機物除去工程において吐水された洗浄水の大半が、洗い場床面５上に形成された排水口に排出されるのに必要な時間以上とすることが好ましい。そのようにすれば、残水が少ない状態になってから殺菌水を吐水することになるので、希釈化が抑制できるとともに、排水口に排出されるまでの時間も長くでき、殺菌効果を向上させることができるからである。
また、有機物除去工程において吐水される洗浄水の総吐水量は、制菌工程おいて吐水される前記殺菌水の総吐水量よりも多い方が好ましい。また、有機物除去工程を実行するのに要する時間は、制菌工程を実行するのに要する時間よりも長い方が好ましい。充分な有機物の除去を行わないと、殺菌効果が低下するおそれがあるからである。
また、本発明者の得た知見によれば、洗い場のようなフラットな面上に付着した汚れを除去するためには、ノズル孔からの水滴を直接、被洗浄面全体に当てるようにすることと、水勢を最大限に大きくすることの２点を満足することが重要である。これは、付着した汚れは、単に水が触れれば除去できるものではなく、除去のためには水が汚れにぶつかる際の打力が重要となるからである。そのため、有機物除去工程においては、吐水された洗浄水の水滴が直接、洗い場床面５の略全体にぶつかるように吐水されることが好ましい。
ここで、特許文献１に開示されている技術では、吐水部が浴室の高所に取り付けられている。そのため、浴室の下方に位置し、汚れの発生も多い洗い場近傍では、吐水の水勢が弱まり洗浄が不十分となるおそれがある。しかし、本発明のように、洗い場近傍（図１に示すものではカウンター６の下方）に吐水部１を設けるものとすれば、天井に比べて床面までの着水距離が短いので、水勢を保ったまま、直接水滴を汚れにあてることができる。その結果、洗浄水をあてることにより汚れを剥がれ落とすという物理的作用を充分に享受することが可能となる。
また、天井からの吐水では、カウンター６の下方は死角となり、水や殺菌水を吐水させることができなかったが、洗い場近傍（図１に示すものではカウンター６の下方）に吐水部１を設けるものとすれば、カウンター６の下方への水や殺菌水の吐水も可能となる。
ここで、洗い場近傍においての床面までの着水距離を考慮すれば、カウンター６の裏面より下方の浴室３の空間に吐水部１を設けるようにすればよい。例えば、吐水部１を浴槽４のフランジ面に設けるようにすることもできる。ただし、洗い場床面５における入浴時の人体洗浄を考慮すれば、邪魔にならないカウンター６の下方に吐水部１を設けるようにすることが好ましい。
また、有機物除去工程において、洗浄水の吐水は、排水口に向かう流れが形成されるように行われるとともに、制菌工程において殺菌洗浄水の吐水は、排水口とは逆向きに向かう流れが形成されるように行われるようにすることが好ましい。汚れの速やかな排出と、殺菌水の滞留時間を長くして殺菌効果を向上させるためである。
また、有機物除去工程において、吐水される洗浄水の単位時間あたりの吐水量は、制菌工程で吐水される殺菌水の単位時間あたりの吐水量よりも多いことが好ましい。充分な有機物汚れの除去を行わないと、殺菌効果が低下するおそれがあるからである。
また、制菌工程において、殺菌水はミスト状に吐水されることが好ましい。殺菌効果を向上させるためである。
【００５３】
尚、前述の洗浄モードを選択することなどにより、例えば、複数のノズル孔の吐水圧、吐水量、吐水の順番を変えたり、断続的な吐水としたり、温水による洗浄をしたり、これらを組み合わせた洗浄をしたりすることもできる。
【００５４】
図１１は、本発明の第２の実施の形態に係る浴室洗浄装置を説明するための模式図である。図１１（ａ）は、浴室洗浄装置の模式斜視図、図１１（ｂ）は、吐水部の模式拡大図である。    
尚、図１で説明をしたものと同様の部分には同じ符号を付し、説明は省略する。  
浴室内の汚れは、入浴時に人体洗浄が行われるカウンター６の近傍を中心として浴室の下方、特に、洗い場床面５の直上であって、カウンター６の裏面より下方に位置する浴室内の部分に発生しやすい。
【００５５】
本実施の形態においては、図１１に示すように、吐水部１０に、洗い場床面５に向けて吐水をするためのノズル孔１ａとは別に、エプロン部１１に向けて吐水をするためのノズル孔１ｂとカウンター６の裏面に向けて吐水をするためのノズル孔１ｃとを別途設けている。そのため、汚れが発生しやすいカウンター６の裏面より下方に位置する浴室内の部分を確実かつ効果的に洗浄、殺菌することができる。尚、カウンター６の下方の浴室壁面とこれに対向する側の浴室壁面、エプロン部１１に対向する側の浴室壁面を洗浄するためのノズル孔をも設けるようにして、カウンター６の裏面より下方に位置する浴室内の全域を洗浄、殺菌するようにしてもよい。また、ノズル孔１ａとこれらのノズル孔の組み合わせを適宜選択することもできる。この場合、吐水部１０には全てのノズル孔を設けることとし、設置される浴室に合わせて必要のないノズル孔に栓をするようにすることもできる。
【００５６】
また、前述したように、被洗浄面の面積の広さに基づいて各ノズルの開口総面積を決めることが好ましい。すなわち、被洗浄面の面積が狭ければ、洗浄、殺菌のための吐水量も少量で足りるので、その部分の開口総面積を小さくして吐水量を減らし、被洗浄面の面積が広い方のノズル孔にその分多くの吐水量が使えるようにすることが好ましい。この場合、例えば、面積が狭いカウンター６の裏面を洗浄、殺菌するためのノズル孔１ｃの径を小さくし、面積の広い洗い場床面５を洗浄、殺菌するためのノズル孔１ａの径を大きくしたり、ノズル孔１ｃの数よりノズル孔１ａの数を多くしたり、ノズル孔の開口面積とノズル孔の数とを組み合わせたりして、ノズル孔の開口総面積を決めるようにすることができる。
【００５７】
また、本実施の形態においては、吐水方向を追加して被洗浄面を増やしても、吐水部１０がカウンター６の下方に設けられているので、カウンター６により余計な水、温水、洗浄水、殺菌水の飛散が抑制され、カウンター６の上方に備えられている鏡７などにおける水垢、黒ずみ、腐食の発生などを抑制することができる。
【００５８】
また、特許文献１に開示されているような技術では死角となり洗浄、殺菌ができなかった、カウンター６の裏面もノズル孔１ｃを設けることにより洗浄、殺菌をすることができるようになる。
【００５９】
また、前述したように、浴室内の汚れはカウンター６の裏面より下方に位置する部分に発生しやすい。このような汚れに対し、特許文献１に開示されているような高所に吐水部を設ける技術では、水勢が弱まる上に、洗浄面に対向した吐水を行うことができず、確実で効率的な洗浄、殺菌を行うことができなかった。本実施の形態においては、汚れが発生しやすいカウンター６の裏面より下方に位置する部分に対向するようにノズル孔を設けているので、浴室内部の汚れの多い場所を確実かつ効率的に洗浄、殺菌することができる。
【００６０】
吐水部１０の作用については、図１で説明をしたものと同様のため説明は省略する。ただし、吐水方向が増えた分その切替をするようにすることができ、吐水順なども適宜選択することができる。例えば、各ノズル孔を制御する開閉弁を設けて、汚水の流れの上流側となるカウンター６の裏面、エプロン部１１、浴室壁面を先に洗浄し、その後、汚水の流れの下流側となる洗い場床面５を洗浄するようにすることもできる。殺菌についても同様の手順をとることができる。
【００６１】
図１２は、本発明の第３の実施の形態に係る浴室洗浄装置を説明するための模式図である。    
尚、図１で説明をしたものと同様の部分には同じ符号を付し、説明は省略する。  
図１２に示すように、吐水部２０は回転可能となっており、また、吐水部２０には洗い場床面５を洗浄、殺菌するためのノズル孔２０ａが設けられている。そして、吐水部２０の回転に伴い、吐水方向が変更されるので、洗浄範囲が移動して洗い場床面５の略全域が洗浄できるようになっている。    
これは、広い面積に吐水を行う場合、ノズル孔の数を多くすると水勢が弱まるおそれがあり、ノズル孔の数を少なくした上で、洗い場床面５の略全域に水滴を当てるようにするために、吐水部１を回転させて、洗浄面積を拡大するようにしているのである。
【００６２】
この場合、被洗浄面における吐水の形態は、図１のような洗浄面積が広くできるようなものであっても良いが、例えば、図１２に示したような、洗浄面で略線状の吐水の形態となるようなものとすることもできる。この際、移動方向（回転方向）に対して略垂直方向に広がりを持った吐水の形態とすれば、ノズル孔２０ａが移動（回転）することにより広い洗浄面積を確保することができる。また、このような吐水の形態とすることができるノズル孔２０ａを用いるものとすれば、ノズル孔の数を少なくすることができるので、水勢の低下を抑制しつつ洗い場床面５の略全域に水滴をあてることができ好適である。
【００６３】
このような吐水の形態となるノズル孔２０ａとしては、図８（ｂ）に示すものを例示することができる。図８（ｂ）に示したような、略楕円形状のノズル孔を用いれば、扇状の吐水が行われ洗浄面では略線状の吐水の形態を得ることができる。この場合、長径の寸法が長い方が、１つのノズル孔から広範囲に吐水をさせることができるので好ましい。一方、短径の寸法は吐水部１が回転をするため長くする必要がない。むしろ、無駄に広げてしまうと水勢が落ちるため、吐水時の流水抵抗との兼ね合いなどから決めるようにすることが好ましい。ただし、ノズルの開口形状はこれに限定されるわけではなく、適宜変更することができる。
【００６４】
図１３は、吐水部２０を説明するための模式図である。  
図１３に示すように、吐水部２０はカウンター６の裏面に取り付けられている。吐水部２０のアーム部２０ｂには複数のノズル孔２０ａが設けられ、洗浄水、殺菌水などが吐水可能となっている。また、アーム部２０ｂはベース２２に接合一体化され、ベース２２の回転に伴い回転できるようになっている。また、アーム部２０ｂの回転軸は洗い場の床面に対して略垂直（地面に対して略鉛直）となるように設置されている。それぞれのノズル孔２０ａは吐水方向が異なるように形成され、吐水された洗浄水、殺菌水などが届く場所・範囲が異なるようになっている。また、ノズル孔２０ａは楕円形状を呈し、回転の接線方向と略垂直に交差する垂線の方向に長径が存在するような向きに設けられている。そのため、各被洗浄面（本実施の形態においては、洗い場床面５）を万遍なく洗浄できるようになっている。また、このようにすれば、洗浄面積の広い洗い場床面５に対しても最適なノズル孔２０ａの配分をすることができ、水勢を保持した状態で汚れに対して直接水滴をあてることができ好適である。
【００６５】
また、この場合、遠方に吐水を行うノズル孔の方が近傍に吐水を行うノズル孔より、受け持つ吐水領域を小さくすることが好ましい。近傍への吐水はノズル孔からの距離が近いため十分な水勢を保てるので、吐水領域を大きくして単位面積あたりの吐水流量が小さくなっても充分な洗浄効果を得ることができる。一方、遠方への吐水はノズル孔からの距離が遠いため水勢が弱くなるおそれがある。そのため、吐水領域を狭くして単位面積あたりの吐水流量が小さくならないようにし、洗浄効果の低下を抑制する必要があるからである。
【００６６】
回転の際には、アーム部２０ｂの先端がカウンター６の突出端（前面端）から出っ張らないようにすることが好ましい。そのようにすれば、入浴時の人体洗浄の際に人体と干渉することを抑制することができ、また、煩雑感がなくなるため見た目にも優れているからである。尚、吐水部１０の取り付け位置を調整できるようにしておき、設置される浴室のカウンター６に合わせた設定をすることもできる。
【００６７】
また、浴室内のカウンター６の裏面より上方に配設されたもの（例えば、鏡７や図示しないシャワー・給水栓など）が直接、吐水されないような位置に吐水部２０を設けるようにすることが好ましい。そのようにすれば、被洗浄面以外へ吐水が直接かかるのが抑制され、前述の水垢、黒ずみ、腐食の発生などを抑制することができるからである。
【００６８】
ノズル孔２０ａの個数、ピッチ、開口面積、吐水方向は設置される浴室の条件に合わせて適宜変更することができる。また、説明の便宜上、略１８０°離間させたアーム部２０ｂを例示したが、これに限定されるわけではなく、離間角度やアーム部２０ｂの数は適宜変更することができる。また、屈曲部を有するアーム部２０ｂを例示しているが、屈曲部のない略直線上のものであってもよく、屈曲部の角度も適宜変更することができる。
【００６９】
さらに、図１４を参照して吐水部２０の構成を概説する。  
図１４は、吐水部２０の模式断面図である。  
図１４に示すように、吐水部２０のヘッド１４は、そのフランジ部１４ｂをカウンター６の裏面に保護材１５を介して取り付けられている。へッド１４はフランジ部１４ｂの下方外周にネジ部１４ｄを備え、さらにその下方に小径の軸部１４ｅを備えている。ヘッド１４内には給水通路１８が縦設され、通路１８の下端には１８０°離間して横方向に開口する連通路１８ａ、１８ｂを備え、連通路１８ａ、１８ｂは軸部１４ｅの外周に１８０°離間して開口している。そして給水通路１８の上部には、外部の給水源と連通させるための通路１８ｃが備えられている。
【００７０】
また、ヘッド１４の軸部１４ｅには、べース２２が回動自在に装着されている。アーム部２０ｂは先端が閉じた管状をなし、ベース２２の周りに略１８０°離間させてベース２２と接合一体化されている。アーム部２０ｂは、中間部付近に屈曲部を有し、先端が下傾し内部に流路２０ｃを備えている。流路２０ｃは、べース２２を軸部１４ｅに装着した際に、連通路１８ａ、１８ｂと連通するようになっている。
【００７１】
べース２２の上端にはフランジ部２２ｄが設けられ、これをネジ部１４ｄに螺合させた袋ナット２３に引っかけるようにして、べース２２を軸部１４ｅ周りに回転可能に支持させるようにしている。
【００７２】
次に、吐水部２０の作用を説明する。  
外部の給水源から通路１８ｃに供給された洗浄水、殺菌水などは、給水通路１８、連通路１８ａ、１８ｂを通り流路２０ｃに供給され、ノズル孔２０ａから吐水される。このとき、回転軸に対して対象に設けられたそれぞれのアーム部２０ｂから吐水される洗浄水、殺菌水などの向きが逆のため、吐水の反力による回転力が発生し、べース２２（アーム部２０ｂ）が軸部１４ｅの周りを回転する。
また、説明の便宜上、略１８０°離間させたアーム部２０ｂを例示したが、これに限定されるわけではなく、離間角度やアーム部２０ｂの数は適宜変更することができる。例えば、アーム部２０ｂは、１本であっても、３本以上であってもよく、回転軸に対して対称に配置されていなくてもよい。
また、吐水の方向も回転軸に対して対称とされていなくてもよく、吐水による反力で回転軸周りの回転力が得られるようになっていればよい。ただし、吐水の方向が回転円の接線に垂直な方向に近づくほど吐水による反力が小さくなるので、一定の角度をつけることが重要となる。例えば、吐水の方向が回転の接線方向に近づくほど、吐水による反力のうち回転に用いられる分が多くなり、垂線方向に近づくほど回転に用いられる分が少なくなる。
また、洗浄能力は、回転速度に大きく依存しており、アーム部２０ｂの長さ及び吐水方向によって、回転速度を制御することが可能である。例えば、吐水方向が回転の接線方向に近づくほど回転速度は速くなり、垂線方向に近づくほど回転速度は遅くなる
【００７３】
この際の回転方向は、設置される浴室や吐水される洗浄水、殺菌水の種類などに合わせて適宜変更することができる。例えば、べース２２（アーム部２０ｂ）の回転により形成される洗浄水などの流れが、汚水を排水口側に導くのに有利な方向に回転させることもできるし、洗浄水や殺菌水の種類などによってある程度滞留させた方が良いものでは、排水口への排出が阻害される方向に回転させるようにすることができる。また、洗い場床面５の床面が傾斜している場合においては、傾斜に沿って排水口方向に回転させて除去した汚れを排出しやすくしたり、排水口方向と逆方向に回転させて床面に洗浄水、殺菌水を対流させて汚れを浮き立たせやすくしたり、殺菌効果を高めたりすることもできる。尚、図１３、図１４に例示をした吐水部２０は、ノズル孔２０ａの位置が固定のため回転方向も一定であるが、ノズル孔２０ａの位置を移動可能とすれば回転方向を変えることができる。
【００７４】
また、この場合の回転速度としては、回転数を１分間に５０回転以下とすることが好ましい。回転速度が速すぎると、洗浄水が有機汚れに作用する時間が不十分となり、洗浄力（剥ぎ落とし）が減殺されるおそれがあるからである。すなわち、吐水部２０の回転速度はある程度遅い方が好ましい。水勢を保持するために流量を確保したまま回転速度を遅くするのには、回転部分の摩擦力を大きくする方法、ノズル孔２０ａからの吐水方向を調整する方法（回転の接線方向に吐水をすると回転速度は速くなり、垂線方向に近づくほど回転速度は遅くなる）などがある。
また、吐水部の回転速度は、水圧の変化によっても変化する。そのため、吐水部をほぼ一定の最適な回転速度領域に保つために、その配管部に定圧手段を設けるようにすることが好ましい。定圧手段としては、例えば、定圧弁や定流量弁などを例示することができる。
【００７５】
また、本実施の形態に係る発明は吐水力を利用した回転に限定されるわけではなく、例えば、電気モータにより回転をさせるようにしてもよい。その場合は、回転方向を適宜選択することができるのみならず、水圧変動に影響されない安定した回転動作（回転スピード、回転角度など）をさせることができる。
【００７６】
図１５は、本発明の第４の実施の形態に係る浴室洗浄装置を説明するための模式図である。    
尚、図１で説明をしたものと同様の部分には同じ符号を付し、説明は省略する。  
吐水部３０は、図１２に例示をした吐水部２０と同様に回転可能となっており、洗い場床面５を洗浄、殺菌するためのノズル孔３０ａに加えて、カウンター６の裏面を洗浄、殺菌するためのノズル孔３０ｂが設けられている。そのため、洗い場床面５を洗浄するとともに、特許文献１に開示されているような技術では死角となり洗浄、殺菌ができなかった、カウンター６の裏面をも洗浄、殺菌することができる。
【００７７】
図１６は、吐水部３０を説明するための模式図である。  
尚、図１３で説明をした吐水部２０とは、カウンター６の裏面を洗浄、殺菌するためのノズル孔３０ｂが設けられている点のみが異なるだけのため、その構成と作用の説明は省略する
ここで、一般的にはカウンター６の裏面より洗い場床面５のほうが面積が広い。そのため、被洗浄面の面積の大きさに基づいてノズル孔３０ａとノズル孔３０ｂとの開口総面積を決めるようにすることが好ましい。すなわち、面積が狭いカウンター６の裏面は、洗浄のための吐水量も少量で足りるので、ノズル孔３０ｂの開口総面積を小さくして吐水量を減らし、面積が広い洗い場床面５のノズル孔３０ａにその分多くの吐水量が使えるようにすることが好ましい。
【００７８】
図１７は、ノズル孔の開口面積を変える場合を例示するための模式図である。  
図１７の左側に示す大きな略楕円形の開口を洗い場床面５の洗浄用（例えば、図１６のノズル孔３０ａ）とし、右側に示す小さな略楕円形の開口をカウンター６の裏面用（例えば、図１６のノズル孔３０ｂ）とすれば、被洗浄面の面積の違いに応じた吐水量の決定をすることができる。尚、ノズル孔の開口面積のみならず、ノズル孔３０ｂの数よりノズル孔３０ａの数を多くしたり、ノズル孔の開口面積とノズル孔の数とを組み合わせて開口総面積を決定することもできる。
【００７９】
図１８は、本発明の第５の実施の形態に係る浴室洗浄装置を説明するための模式図である。    
尚、図１で説明をしたものと同様の部分には同じ符号を付し、説明は省略する。  
図１８に示すように、吐水部４０は図中矢印に示した方向に揺動可能となっており、また、吐水部４０には洗い場床面５を洗浄するためのノズル孔４０ａが設けられている。そして、吐水部４０の揺動に伴い、吐水方向が変更されるので、洗浄範囲が移動して洗い場床面５の略全域が洗浄できるようになっている。
【００８０】
この場合、洗浄面における吐水の形状は、前述のような洗浄面積が広くできるようなものであっても良いが、例えば、図１２に示したような、線状の吐水形態とすることもできる。この際、吐水の移動方向に対して略垂直方向に広がりを持った吐水の形状とすれば、ノズル孔４０ａの数を少なくしてもノズル孔４０ａを移動（揺動）させることにより広い洗浄面積を確保することができる。このような吐水の形状となるノズル孔４０ａとしては、図８（ｂ）に示すものを例示することができる。このような、略楕円形状のノズル孔を用いれば、扇状の吐水が行われ洗浄面では略線状の吐水の形態を得ることができる。ただし、ノズルの開口形状はこれに限定されるわけではなく、適宜変更することができる。
【００８１】
また、各ノズルの開口面積や吐水方向などを同一としてもよいが、洗浄対象により変えることもできる。例えば、汚れがたまりやすい場所（洗い場床面５の壁際など）への吐水量が多くなるように、その部分への吐水を行うノズルの開口面積を大きくすることができる。
【００８２】
また、吐水は揺動の往復で行うこともできるが、往路または復路のどちらかで吐水を行うなど吐水のタイミングを変えることもできる。その際、吐水のタイミングは制御部２からの指令により開閉弁８、１６で変更することができる。例えば、浴室の排水口の位置により汚水が排水口に誘導しやすくなる方向、または、洗浄水、殺菌水が洗浄面に滞留しやすくなる方向を考慮して吐水のタイミングを変えることもできるし、特定の洗浄場所を重点的に洗浄するために吐水のタイミングを変えることもできる。
【００８３】
図１９は、吐水部４０の他の取り付け形態を説明するための模式図である。  
図１９に示すように、吐水部４０はカウンター６の下方の浴室壁面に取り付けられている。吐水部４０のアーム部４０ｂには複数のノズル孔４０ａが設けられ、洗浄水、殺菌水などが吐水可能となっている。また、吐水部４０には、揺動端において水圧による水路の機械的な切替を行う装置が内蔵されている。そのようなものとしては、例えば、特開２００６−７５６７８号公報に開示されているような技術を例示することができる。このように揺動動作に、水圧を利用した水路の自動切替装置を用いるものとすれば、吐水源と揺動動作の動力源の統一化が図られ機構の簡略化が図れると伴に、コスト低下や信頼性向上にも寄与することができる。
【００８４】
ただし、本発明の揺動源は揺動端における水路の機械的な切替装置に限定されるわけではなく、例えば、電気モータやソレノイドなどにより揺動をさせるようにすることもできる。その場合は、揺動方向を適宜選択できるのみならず、水圧変動に影響されない安定した揺動動作（揺動スピード、揺動角度など）をさせることができる。
【００８５】
図２０は、吐水部の他の実施の形態を説明するための模式図である。  
吐出部５０には、旋回室５０ｂと揺動体５０ｃとが設けられ、揺動体５０ｃを旋回室５０ｂ内に発生させた旋回流によって、首振り公転を起こさせるようにしている。この公転に伴い、揺動体５０ｃに取り付けられたノズル孔を有する把持体５０ａが変形し、吐水自体の形態や吐水量、および吐水の方向等を、前記公転と共に周期的に変化させながら、吐水が行われるようになっている。このようなものとしては、例えば、特開２００３−３０４９８０号公報に開示されているような技術を例示することができる。
【００８６】
図２１は、吐水部の他の実施の形態を説明するための模式図である。  
尚、図１３で説明をしたものとは、アーム部の数とノズル孔の位置のみが異なるだけのため、これらの説明以外は省略する。    
吐水部６０には、互いに１２０°離間させてアーム部６０ａが３本設けられている。アーム部６０ａは、その先端が回転の進行方向に向かうように屈曲しており、その先端面Ａには図示しない吐出口が設けられている。吐出口については、前述したものを採用することができ、また、図２０で説明をしたものを取り付けるようにすることも出来る。
【００８７】
尚、ノズル孔の数も適宜選択することができ、図示しない首振り手段（角度調整手段）を設けるようにして角度を調整するようにすることもできる。
【００８８】
図１８に例示をした吐水部４０は、カウンター６の裏面に取り付ける場合を例示したものであり、図１９に例示をした吐水部４０は、カウンター６の下方の浴室壁面に取り付ける場合を例示したものである。また、図２０、図２１に例示をした吐水部５０、６０もこれらと同様にカウンター６の下方の取り付けられる。これらの場合、吐水部４０、５０、６０がカウンター６の突出端（前面端）から出っ張らないようにすることが好ましい。そのようにすれば、入浴時の人体洗浄の際に人体と干渉することを抑制することができ、また、煩雑感がなくなるため見た目にも優れているからである。尚、吐水部４０、５０、６０の取り付け位置を調整できるようにしておき、設置される浴室のカウンター６に合わせた設定をすることもできる。また、カウンター６の裏面、カウンター６の下方の浴室壁面から離間した位置に吐水部４０、５０、６０を設けるようにすることもできる。
【００８９】
また、吐水がカウンター６の上面より上に飛び散らないような位置に吐水部４０、５０、６０を設けるようにすることが好ましい。そのようにすれば、被洗浄面以外への吐水の飛び散りが抑制され、前述の水垢、黒ずみ、腐食の発生を抑制することができる。
【００９０】
図１８や図１９に例示をした吐水部４０は、洗浄対象が洗い場床面５であったが揺動の角度を大きくすれば、カウンター６の裏面をも洗浄することができる。また、揺動動作ではなく回転動作としてカウンター６の裏面をも洗浄することができる。図２０に例示をした吐水部５０も、公転の角度を大きくすれば、カウンター６の裏面をも洗浄することができる。また、図２１に例示をした吐水部６０も、吐水の角度を大きくすれば、カウンター６の裏面をも洗浄することができる。
【００９１】
図２２は、他の実施の形態に係る吐水部分の配管系統図である。  
図２２に示すように、吐水部１には、浴室３外に設けられた殺菌水生成手段１２と洗浄水生成手段１３とが直列に接続されている。また、殺菌水生成手段１２と洗浄水生成手段１３との間には開閉弁８ａ設けられており、洗浄水生成手段１３は逆止弁１７に接続されている。そして、逆止弁１７は水道管９と接続されている。
【００９２】
このような配管構成とすれば、図２に説明をしたものに比べて開閉弁が１つ不要になるなど構成が簡単となる。この場合、洗浄水生成手段１３により生成される洗浄水が、殺菌水生成手段１２により生成される殺菌水に混じらないようにする手段を洗浄水生成手段１３に設けることが好ましい。例えば、洗浄水生成手段１３が予め生成された洗浄水（例えば、濃縮液）や薬剤などを投入するものである場合においては、必要量のみをポンプなどで投入するようにすることが好ましい。
【００９３】
以上、具体例を参照しつつ、本発明の実施の形態について説明をした。しかし、本発明はこれらの具体例に限定されるものではない。
【００９４】
前述の具体例に関して、当業者が適宜設計変更を加えたものも、本発明の特徴を備えている限り、本発明の範囲に包含される。
【００９５】
例えば、各洗浄装置の構成要素、浴室やこれに備えられる浴槽４、洗い場床面５、カウンター６、鏡７、制御部２、開閉弁８、１６、殺菌水生成手段１２、洗浄水生成手段１３などの形状、寸法、材質、配置などは、例示したものに限定されるわけではなく適宜変更することができる。
【００９６】
また、前述した各具体例が備える各要素は、可能な限りにおいて組み合わせることができ、これらを組み合わせたものも本発明の特徴を含む限り本発明の範囲に包含される。
【図面の簡単な説明】
【００９７】
【図１】本発明の第１の実施の形態に係る浴室洗浄装置を備えた浴室ユニットを説明するための模式図である。
【図２】吐水部分の配管系統図である。
【図３】洗浄水生成手段として用いることができるオゾン水生成手段を例示するための模式断面図である。
【図４】洗浄水生成手段として用いることができる創水手段を例示するための模式断面図である。
【図５】吐水部から洗浄対象までの距離と吐水の状態との関係を説明するための模式図である。
【図６】ノズル孔の形態を説明するための模式図である。
【図７】ノズル孔の形態を説明するための模式図である。
【図８】ノズル孔の形態を説明するための模式図である。
【図９】開閉弁の開閉タイミングを説明するための模式タイミングチャートである。
【図１０】開閉弁８、１６の開閉タイミングを説明するための模式タイミングチャートである。
【図１１】本発明の第２の実施の形態に係る浴室洗浄装置を説明するための模式図である。
【図１２】本発明の第３の実施の形態に係る浴室洗浄装置を説明するための模式図である。
【図１３】吐水部を説明するための模式図である。
【図１４】吐水部の模式断面図である。
【図１５】本発明の第４の実施の形態に係る浴室洗浄装置を説明するための模式図である。
【図１６】吐水部を説明するための模式図である。
【図１７】ノズル孔の開口面積を変える場合を例示するための模式図である。
【図１８】本発明の第５の実施の形態に係る浴室洗浄装置を説明するための模式図である。
【図１９】吐水部の他の取り付け形態を説明するための模式図である。
【図２０】吐水部の他の実施の形態を説明するための模式図である。
【図２１】吐水部の他の実施の形態を説明するための模式図である。
【図２２】他の実施の形態に係る吐水部分の配管系統図である。
【符号の説明】
【００９８】
１  吐水部、１ａ  ノズル孔、１ｂ  ノズル孔、１ｃ  ノズル孔、２  制御部、５  洗い場床面、６  カウンター、８  開閉弁、１０  吐水部、１２  殺菌水生成手段、１３  洗浄水生成手段、１６  開閉弁、２０  吐水部、２０ａ  ノズル孔、３０  吐水部、３０ａ  ノズル孔、３０ｂ  ノズル孔、４０  吐水部、４０ａ  ノズル孔、５０  吐水部、６０  吐水部、
【図１】
2008168231.tif 000003
【図２】
2008168231.tif 000004
【図３】
2008168231.tif 000005
【図４】
2008168231.tif 000006
【図５】
2008168231.tif 000007
【図６】
2008168231.tif 000008
【図７】
2008168231.tif 000009
【図８】
2008168231.tif 000010
【図９】
2008168231.tif 000011
【図１０】
2008168231.tif 000012
【図１１】
2008168231.tif 000013
【図１２】
2008168231.tif 000014
【図１３】
2008168231.tif 000015
【図１４】
2008168231.tif 000016
【図１５】
2008168231.tif 000017
【図１６】
2008168231.tif 000018
【図１７】
2008168231.tif 000019
【図１８】
2008168231.tif 000020
【図１９】
2008168231.tif 000021
【図２０】
2008168231.tif 000022
【図２１】
2008168231.tif 000023
【図２２】
2008168231.tif 000024
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
浴室の洗い場床面に水道水、オゾン水、酸性水、アルカリ性水等の洗浄水を吐水して洗い場床面上に付着した石鹸カスや皮脂等の有機物汚れを除去する有機物除去工程と、
浴室の洗い場床面に抗菌性金属を有する殺菌水を吐水して洗い場床面上を殺菌する制菌工程と、
前記有機物除去工程と前記制菌工程の間であって、洗浄水および殺菌水の吐水を予め設定された所定時間、停止させる待機工程と、を実行可能な制御装置を備え、
前記制御装置は、洗浄開始の入力がされると、前記有機物除去工程を実行した後、前記待機工程を実行して前記有機物除去工程において吐水された洗浄水の大半が前記洗い場床面上に形成された排水口に排出されて、後に吐水する殺菌水の希釈化を抑制するように、且つ後に吐水する殺菌水を洗い場床面に滞留させるように残水を少ない状態にした後、前記制菌工程を実行して前記洗い場床面上に殺菌水を滞留させることを特徴とする浴室洗浄装置。
【請求項２】
前記有機物除去工程において吐水される前記洗浄水の総吐水量は、前記制菌工程おいて吐水される前記殺菌水の総吐水量よりも多いこと、を特徴とする請求項１記載の浴室洗浄装置。
【請求項３】
前記有機物除去工程を実行するのに要する時間は、前記制菌工程を実行するのに要する時間よりも長いことを特徴とする請求項１または２記載の浴室洗浄装置。
【請求項４】
前記有機物除去工程において、吐水された前記洗浄水の水滴が直接、前記洗い場床面の略全体にぶつかるように吐水されること、を特徴とする請求項１乃至３のいずれか１つに記載の浴室洗浄装置。
【請求項５】
前記有機物除去工程において吐水される前記洗浄水の吐水部は、鏡が取り付けられている洗い場壁面から突出し、且つ前記洗い場床面の直上であり、シャワーホースが接続される水栓本体の下方に配設されたカウンターの裏面に取り付けられていること、を特徴とする請求項１乃至４のいずれか１つに記載の浴室洗浄装置。
【請求項６】
前記有機物除去工程において吐水される前記洗浄水の吐水部は、洗浄対象までの距離に応じた複数の放射状に吐水可能なノズル孔を有し、前記洗い場床面に対する前記ノズル孔が受け持つ洗浄対象が前記吐水部に近いほど、その洗浄範囲の面積が大きくなること、を特徴とする請求項１乃至３のいずれか１つに記載の浴室洗浄装置。
【請求項７】
前記有機物除去工程において吐水される前記洗浄水の吐水部は、洗浄対象までの距離に応じた複数の放射状に吐水可能なノズル孔を有し、前記洗い場床面に対する前記ノズル孔が受け持つ洗浄対象が前記吐水部に近いほど、吐水の噴射角度が大きくなること、を特徴とする請求項１乃至３のいずれか１つに記載の浴室洗浄装置。
【請求項８】
前記有機物除去工程において前記洗浄水の吐水は、断続的に行われること、を特徴とする請求項１乃至７のいずれか１つに記載の浴室洗浄装置。
【請求項９】
前記有機物除去工程において前記洗浄水の吐水は、前記排水口に向かう流れが形成されるように行われるとともに、前記制菌工程において前記殺菌洗浄水の吐水は、前記排水口とは逆向きに向かう流れが形成されるように行われること、を特徴とする請求項１乃至８のいずれか１つに記載の浴室洗浄装置。
【請求項１０】
前記有機物除去工程において吐水される前記洗浄水の単位時間あたりの吐水量は、前記制菌工程で吐水される前記殺菌水の単位時間あたりの吐水量よりも多いこと、を特徴とする請求項１乃至９のいずれか１つに記載の浴室洗浄装置。
【請求項１１】
前記制菌工程において前記殺菌水はミスト状に吐水されること、を特徴とする請求項１乃至１０のいずれか１つに記載の浴室洗浄装置。
【請求項１２】
前記有機物除去工程において吐水される前記洗浄水の前記吐水部は、前記洗い場床面に向けて吐水方向の異なる複数のノズル孔を有し、前記ノズル孔の位置が鉛直線を軸に回転移動可能となっていること、を特徴とする請求項１乃至１１のいずれか１つに記載の浴室洗浄装置。
【請求項１３】
前記有機物除去工程において吐水される前記洗浄水の前記吐水部は、開孔形状が略楕円のノズル孔を備え、前記ノズル孔の位置は回転移動可能とされており、前記略楕円のノズル孔は、前記回転の接線方向と略垂直に交差する垂線の方向に長径が存在するような向きに設けられること、を特徴とする請求項１乃至１２のいずれか１つに記載の浴室洗浄装置。
【請求項１４】
前記有機物除去工程において吐水される前記洗浄水の前記吐水部は、吐水の反力により回転可能とされており、前記吐水部の配管には定圧手段が設けられていること、を特徴とする請求項１乃至１３のいずれか１つに記載の浴室洗浄装置。
【請求項１５】
洗い場と、
浴槽と、
前記洗い場床面の直上に配設され、シャワーホースが接続された水栓本体より下方に配置されたカウンターと、
請求項１乃至１４のいずれか１つに記載の浴室洗浄装置と、
を備えたことを特徴とする浴室ユニット。
【手続補正２】
【補正対象書類名】明細書
【補正対象項目名】０００７
【補正方法】変更
【補正の内容】
【０００７】
本発明の一態様によれば、浴室の洗い場床面に水道水、オゾン水、酸性水、アルカリ性水等の洗浄水を吐水して洗い場床面上に付着した石鹸カスや皮脂等の有機物汚れを除去する有機物除去工程と、浴室の洗い場床面に抗菌性金属を有する殺菌水を吐水して洗い場床面上を殺菌する制菌工程と、前記有機物除去工程と前記制菌工程の間であって、洗浄水および殺菌水の吐水を予め設定された所定時間、停止させる待機工程と、を実行可能な制御装置を備え、前記制御装置は、洗浄開始の入力がされると、前記有機物除去工程を実行した後、前記待機工程を実行して前記有機物除去工程において吐水された洗浄水の大半が前記洗い場床面上に形成された排水口に排出されて、後に吐水する殺菌水の希釈化を抑制するように、且つ後に吐水する殺菌水を洗い場床面に滞留させるように残水を少ない状態にした後、前記制菌工程を実行して前記洗い場床面上に殺菌水を滞留させることを特徴とする浴室洗浄装置が提供される。